(57)【要約】【課題】この発明に係るエレベータ用釣合おもりの積み込み装置は、簡単な装置であって、かつ熟練した作業者でなくとも釣合おもりの積み込み作業を簡単に行なうことができる。【解決手段】この発明に係るエレベータ用釣合おもりの積み込み装置は、釣合おもり６を乗場２から釣合おもり枠５に導くガイドレール７０と、このガイドレール７０の一端部に設けられ乗場２の敷居溝３に係止される乗場側フック部材８と、ガイドレール７０の他端部に設けられ釣合おもり枠５に着脱可能な釣合おもり枠側フック部材９と、を備え、釣合おもり６は、傾斜したガイドレール７０に沿って降下し、釣合おもり枠５に形成されたおもり搬入口１５を通じて釣合おもり枠５内に積み込まれる。【選択図】図１
2014234278.tif 000002
【特許請求の範囲】
【請求項１】
乗場と、釣合おもりを収納するとともに前記乗場よりも下側に配置された釣合おもり枠との間に設けられ、前記釣合おもりを前記釣合おもり枠内に積み込むエレベータ用釣合おもりの積み込み装置であって、
前記釣合おもりを前記乗場から前記釣合おもり枠に導く案内部材と、
この案内部材の一端部に設けられ前記乗場の敷居溝に係止される乗場側フック部材と、
前記案内部材の他端部に設けられ前記釣合おもり枠に着脱可能な釣合おもり枠側フック部材と、を備え、
前記釣合おもりは、傾斜した前記案内部材に沿って降下し、前記釣合おもり枠に形成されたおもり搬入口を通じて釣合おもり枠内に積み込まれるエレベータ用釣合おもりの積み込み装置。
【請求項２】
前記案内部材は、前記釣合おもりが移動する側の面に釣合おもりが滑動する滑動材が取付けられている請求項１に記載のエレベータ用釣合おもりの積み込み装置。
【請求項３】
前記案内部材は、回転自在のローラを有しており、前記釣合おもりは、回転する前記ローラ上を移動する請求項１に記載のエレベータ用釣合おもりの積み込み装置。
【請求項４】
前記案内部材は、前記釣合おもりを囲った、断面コ字状の対向した一対のガイドレールである請求項１〜３の何れか１項に記載のエレベータ用釣合おもりの積み込み装置。
【請求項５】
前記ガイドレールは、互いに蝶番を介して回動自在に連結された複数のガイドレール片と、隣接した前記ガイドレール片同士を直線状に連結する連結部材と、を有している請求項４に記載のエレベータ用釣合おもりの積み込み装置。
【請求項６】
前記ガイドレール片は、互いに分離可能である請求項５に記載のエレベータ用釣合おもりの積み込み装置。
【請求項７】
前記釣合おもり枠側フック部材は、その先端部に前記釣合おもり枠の前記おもり搬入口の周縁部に吸着する磁石が設けられている請求項１〜６の何れか１項に記載のエレベータ用釣合おもりの積み込み装置。
【請求項８】
前記おもり搬入口は、前記釣合おもり枠に垂直方向に間隔を空けて複数形成された請求項１〜７の何れか１項に記載のエレベータ用釣合おもりの積み込み装置。
【発明の詳細な説明】
【技術分野】
【０００１】
この発明は、釣合おもりを釣合おもり枠に積み込むエレベータ用釣合おもりの積み込み装置に関する。
【背景技術】
【０００２】
従来、エレベータ用釣合おもりは、作業者が自ら釣合おもりを持ち上げて、昇降路内へ搬入し、釣合おもり枠内に積み上げている方法がある。
また、揚重機を用いて釣合おもりを揚げ、釣合おもり枠内に積み上げる方法もある（例えば、特許文献１参照）。
【０００３】
上記特許文献１に記載の釣合おもりの積み込み方法は、支持部材を回動させながら把持装置を釣合おもりの上方部まで移動させ、揚重機を操作して把持装置の係合凸部を釣合おもりの係合凹部に係合させ、再び揚重機を操作して釣合おもりを吊り上げ、釣合おもりを傾斜させた状態のまま、把持装置を乗場側から釣合おもり枠側へ誘導し、釣合おもり枠の縦部材における前側フランジ部間を釣合おもりの長手方向両端が通過するように降ろして釣合おもりを釣合おもり枠内に積み上げていた。
【先行技術文献】
【特許文献】
【０００４】
【特許文献１】特開２０００-１７７９５０号公報
【発明の概要】
【発明が解決しようとする課題】
【０００５】
従来、エレベータ用釣合おもりは、作業者が自ら釣合おもりを持ち上げて、昇降路内へ搬入し、釣合おもり枠内に積み上げて行なった場合には、作業者の肉体的負担が大きかった。
また、上記特許文献１に記載の釣合おもりの積み込み方法は、作業者の肉体的負担が軽減されるも、揚重機を操作して把持装置を乗場側から釣合おもり枠側へ誘導し、釣合おもり枠の縦部材における前側フランジ部間を釣合おもりの長手方向両端が通過するように降ろして釣合おもりを釣合おもり枠内に積み上げていく作業中、釣合おもりを吊り下げた吊りロープは振れが生じており、熟練した作業者でないと円滑に作業ができないという問題点があった。
また、この方法を採用する場合には、支持部材、揚重機、把持装置等を揃える必要性があり、エレベータ用釣合おもりの積み込み装置が大型化してしまうという問題点もあった。
【０００６】
この発明は、かかる問題点を解決することを課題とするものであって、簡単な装置であって、かつ熟練した作業者でなくとも簡単に作業を行なうことができるエレベータ用釣合おもりの積み込み装置を得ることを目的とする。
【課題を解決するための手段】
【０００７】
この発明に係るエレベータ用釣合おもりの積み込み装置は、
乗場と、釣合おもりを収納するとともに前記乗場よりも下側に配置された釣合おもり枠との間に設けられ、前記釣合おもりを前記釣合おもり枠内に積み込むエレベータ用釣合おもりの積み込み装置であって、
前記釣合おもりを前記乗場から前記釣合おもり枠に導く案内部材と、
この案内部材の一端部に設けられ前記乗場の敷居溝に係止される乗場側フック部材と、
前記案内部材の他端部に設けられ前記釣合おもり枠に着脱可能な釣合おもり枠側フック部材と、を備え、
前記釣合おもりは、傾斜した前記案内部材に沿って降下し、前記釣合おもり枠に形成されたおもり搬入口を通じて釣合おもり枠内に積み込まれるようになっている。
【発明の効果】
【０００８】
この発明に係るエレベータ用釣合おもりの積み込み装置によれば、釣合おもりは、傾斜した案内部材に沿って降下し、釣合おもり枠に形成されたおもり搬入口を通じて釣合おもり枠内に積み込まれるようになっているので、簡単な構成であって、熟練した作業者でなくとも簡単に作業を行なうことができる。
【図面の簡単な説明】
【０００９】
【図１】この発明の実施の形態１のエレベータ用釣合おもりの積み込み装置の使用態様を示す側面図である。
【図２】図１のエレベータ用釣合おもりの積み込み装置を示す要部拡大図である。
【図３】図１のエレベータ用釣合おもりの積み込み装置を示す正断面図である。
【図４】図１のエレベータ用釣合おもりの積み込み装置の要部平面図である。
【図５】ガイドレールの全体正面図である。
【図６】隣接したガイドレール片が連結部材を介して直線状に連結されたガイドレールを示す部分正面図である。
【図７】乗場側フック部材とガイドレール片との取付け状態を示す分解斜視図である。
【図８】図１の釣合おもり枠に釣合おもり枠側フック部材が取付けられた状態を示す図である。
【図９】釣合おもり枠に釣合おもりを積み上げる手順を示すフロー図である。
【図１０】余ったガイドレール片の取り扱いを示す図である。
【図１１】この発明の実施の形態２のエレベータ用釣合おもりの積み込み装置の使用態様を示す側面図である。
【図１２】図１１の釣合おもり枠に釣合おもり枠側フック部材が取付けられた状態を示す図である。
【図１３】この発明の実施の形態３のエレベータ用釣合おもりの積み込み装置の要部を示す側面図である。
【図１４】図１３のエレベータ用釣合おもりの積み込み装置を示す正断面図である。
【発明を実施するための形態】
【００１０】
以下、この発明の各実施の形態のエレベータ用釣合おもりの積み込み装置について図に基づいて説明するが、各図において同一、または相当部材、部位については、同一符号を付して説明する。
【００１１】
実施の形態１．
図１はこの発明の実施の形態１のエレベータ用釣合おもりの積み込み装置の使用態様を示す側面図、図２は図１のエレベータ用釣合おもりの積み込み装置を示す要部拡大図、図３は図１のエレベータ用釣合おもりの積み込み装置を示す正断面図、図４は図１のエレベータ用釣合おもりの積み込み装置の要部平面図である。
このエレベータ用釣合おもりの積み込み装置（以下、積み込み装置と略称する。）は、乗場２と、昇降路１内に乗場２よりも下側に配置された釣合おもり枠５との間に設けられている。揚重機（図示せず）からの吊りロープ４に吊り下げられた、一対の釣合おもり枠５は、断面コの字形状であって、複数の釣合おもり６が内部に積層されている。
【００１２】
積み込み装置は、案内部材であるガイドレール７０と、ガイドレール７０の乗場２側の端部に設けられた乗場側フック部材８と、ガイドレール７０の釣合おもり枠５側の端部に設けられた釣合おもり枠側フック部材９と、を備えている。乗場側フック部材８及び釣合おもり枠側フック部材９は、ともにガイドレール７０の両側にそれぞれ一対固定されている。
ガイドレール７０は、図５、図６に示すように、蝶番１０を介して連結された複数のガイドレール片７と、このガイドレール片７の端部の支軸１１ａを中心に回動自在であって隣接したガイドレール片７の端部のピン１１ｂに係止し隣接したガイドレール片７同士を直線状に連結する連結部材１１と、を備えている。
断面コの字形状の一対のガイドレール片７は、それぞれ対向した内壁面に、釣合おもり６が滑動する滑動材１２が取付けられている。この滑動材１２は、ニューライト樹脂等の摩擦係数が低い材料が用いられる。
【００１３】
乗場側フック部材８は、Ｌ字形状であって、短片部は、乗場２の敷居溝３に遊挿されている。乗場側フック部材８の長片部は、図７に示すように、ピン穴７ａに挿入されるピン部材８ａによりガイドレール片７に固定されている。乗場側フック部材８がピン部材８ａを介して固定されるガイドレール片７以外の、各ガイドレール片７のピン穴７ａは、連結部材１１のピン１１ｂが螺着されている。
釣合おもり枠側フック部材９は、Ｌ字形状であって、短片部の片側面に磁石９ａが取付けられている。一対の釣合おもり枠５の乗場２側には、それぞれおもり搬入口１５が形成されている。磁石９ａは、図８に示すように、おもり搬入口１５の内側周縁部に吸着される。
【００１４】
次に、この実施の形態の積み込み装置を用いて、釣合おもり枠５内に釣合おもり６を積み込む積み込み作業について、図９に基づいて説明する。
先ず、予め図１に示すように、釣合おもり枠５を昇降路１内に搬入し、揚重機からの吊ロープ４に吊り下げる。このとき、釣合おもり枠５は、昇降路１の底面に設けられた緩衝器１４の直上に位置している。
次に、乗場２側のガイドレール片７を除いた、各ガイドレール片７のピン穴７ａにピン１１ｂを螺着し、隣接した各ガイドレール片７同士を連結部材１１を介して直線状に連結する（ステップＳ１）。
【００１５】
次に、乗場２から釣合おもり枠５へ向かって釣合おもり６が降下するようにガイドレール７０を傾斜させ、釣合おもり枠５に設けられたおもり搬入口１５に、磁石９ａを用いて釣合おもり側フック部材９を固定する（ステップＳ２）。
【００１６】
その後、乗場側フック部材８の短片部が乗場２の敷居溝３に遊挿できるようにガイドレール７０の全長を調整する。
余ったガイドレール片７は、図１０に示す態様で取り扱われる。
図１０の（イ）は、ガイドレール片７が乗場２に載置された例である。
また、（ロ）は、余ったガイドレール片７がガイドレール７０上に載置された例であり、（ハ）は、余ったガイドレール片７がガイドレール７０から吊り下げられた例である。
なお、余ったガイドレール片７が（ロ）及び（ハ）の何れの態様をとるかは、蝶番１０（図示せず）の位置による。
【００１７】
次に、ピン部材８ａをピン穴７ａに螺着して、敷居溝３に遊挿された乗場側フック部材８の長辺部をガイドレール片７に固定する（ステップＳ４）。
【００１８】
こうして、積み込み装置が乗場２と釣合おもり枠５との間に架けられた後、作業者は、乗場２からガイドレール７０内に釣合おもり６を投入すると（ステップＳ５）、
釣合おもり６は、傾斜したガイドレール７０に沿って釣合おもり枠５へ向かって滑動し（ステップＳ６）、そのままおもり搬入口１５から釣合おもり枠５内に収納される（ステップＳ７）。
こうして、一枚の釣合おもり６を釣合おもり枠５内の最下部に積み込んだなら、以下同様にして、未積載の釣合おもり６を乗場２より投入するという作業を繰り返し、必要数の釣合おもり６を釣合おもり枠５内に積層する（ステップＳ８）。
【００１９】
釣合おもり枠５に必要数の釣合おもり６を積み込んだ後は、釣合おもり側フック部材９を釣合おもり枠５から取り外す（ステップＳ９）。
さらに、乗場側フック部材８の短片部を持ち上げて敷居溝３から開放するとともに、乗場側フック部材８からピン部材８ａを取り外し、乗場側フック部材８をガイドレール片７から取り外し（ステップＳ１０）、また各ガイドレール片７のピン１１ｂから連結部材１１を開放した後に、各ガイドレール片７を折り畳み、この複数のガイドレール片７を乗場２側に引き上げることで（ステップＳ１１）、釣合おもり枠５内に釣合おもり６を積み込む積み込み作業は完了する。
【００２０】
この実施の形態による積み込み装置によれば、釣合おもり６を乗場２から釣合おもり枠５に導く案内部材であるガイドレール７０と、このガイドレール７０の一端部に設けられ乗場２の敷居溝３に係止される乗場側フック部材８と、ガイドレール７０の他端部に設けられ釣合おもり枠５に着脱可能な釣合おもり枠側フック部材９と、を備え、釣合おもり６は、傾斜したガイドレール７０に沿って降下し、釣合おもり枠５に形成されたおもり搬入口１５を通じて釣合おもり枠５内に積み込まれるようになっている。
このように、釣合おもり６は、ガイドレール７０に沿って自重により移動し、釣合おもり枠５内に積み込まれるので、簡単な装置であって、かつ熟練した作業者でなくとも簡単に作業を行なうことができる。
【００２１】
また、ガイドレール７０は、釣合おもり６が移動する側の面に釣合おもり６が滑動する滑動材１２が取付けられているので、釣合おもり６は、円滑に降下して釣合おもり枠５内に積み込まれるので、積み込み作業性がさらに向上する。
【００２２】
また、ガイドレール７０は、釣合おもり６を囲った、断面コ字状の対向した一対のガイドレール７０であるので、釣合おもり６は、釣合おもり枠５内に確実に導かれる。
【００２３】
また、ガイドレール７０は、互いに蝶番１０を介して回動自在に連結された複数のガイドレール片７と、隣接したガイドレール片７同士を直線状に連結する連結部材１１と、を有しているので、折り畳みが可能で、かつ全長を調整することができるとともに、手軽に運搬できる。
【００２４】
釣合おもり枠側フック部材９は、その先端部に釣合おもり枠５のおもり搬入口１５の周縁部に吸着する磁石９ａが設けられているので、磁石９ａの吸着力を利用して簡単に釣合おもり枠５に固定され、また釣合おもり枠５から簡単に取り外しができる。
【００２５】
実施の形態２．
図１１はこの発明の実施の形態２の積み込み装置の使用態様を示す側面図、図１２は図１１の釣合おもり枠５に釣合おもり枠側フック部材９が取付けられた状態を示す図である。
この実施の形態では、釣合おもり枠５に垂直方向に間隔を空けて２個おもり搬入口１５が形成されている。
他の構成は、実施の形態１の積み込み装置と同じである。
【００２６】
この実施の形態では、釣合おもり枠５内に釣合おもり６を積み込む際に、最初は下側のおもり搬入口１５の周縁部に釣合おもり側フック部材９を取付ける。
次に、釣合おもり６の積層枚数が複数枚になった時点で、釣合おもり側フック部材９を下側のおもり搬入口１５の周縁部から取り外し、昇降路１の上方に設置された揚重機（図示せず）により釣合おもり枠５を下降させた後で、釣合おもり側フック部材９を再び上側のおもり搬入口１５の周縁部に取付ける。
以下、同様に乗場２より釣合おもり６をガイドレール７０内に投入し、上側のおもり搬入口１５を通じて釣合おもり枠５内へ収納する。
【００２７】
このようにすることで、乗場２からガイドレール７０内に投入された釣合おもり６は、おもり搬入口１５から釣合おもり枠５内に収納される際に落下する距離が短くなり、釣合おもり６の破損を防ぐことができる。
【００２８】
実施の形態３．
図１３はこの発明の実施の形態３の積み込み装置の要部を示す側面図、図１４は図１３の積み込み装置を示す正断面図である。
この実施の形態では、ガイドレール７０は、両側の下端部に回転自在に取付けられた複数のローラ１３を有している。
他の構成は、実施の形態１の積み込み装置と同じである。
この実施の形態では、実施の形態１の滑動材１２に代えて、複数のローラ１３を用いており、実施の形態１のものと比較して、ガイドレール７０内での釣合おもり６の滑降性能が向上する。
【００２９】
なお、上記各実施の形態では、ガイドレール７０は、複数のガイドレール片７で構成されているが、ガイドレールがガイドレール片単体で構成されたものであってもよい。
また、各ガイドレール片７は、蝶番１０を介して回動自在に連結されているが、回動自在であって、かつ分離可能であってもよい。ガイドレール片を分離することでガイドレールの全長を簡単に調整することができる効果がある。
【符号の説明】
【００３０】
１  昇降路、２  乗場、３  敷居溝、４  吊りロープ、５  釣合おもり枠、６  釣合おもり、７  ガイドレール片、７ａ  ピン穴、７０  ガイドレール（案内部材）、８  乗場側フック部材、８ａ  ピン部材、９  釣合おもり側フック部材、９ａ  磁石、１０  蝶番、１１  連結部材、１１ａ  支軸、１１ｂ  ピン、１２  滑動材、１３  ローラ、１４  緩衝器、１５  おもり搬入口。
【図１】
2014234278.tif 000003
【図２】
2014234278.tif 000004
【図３】
2014234278.tif 000005
【図４】
2014234278.tif 000006
【図５】
2014234278.tif 000007
【図６】
2014234278.tif 000008
【図７】
2014234278.tif 000009
【図８】
2014234278.tif 000010
【図９】
2014234278.tif 000011
【図１０】
2014234278.tif 000012
【図１１】
2014234278.tif 000013
【図１２】
2014234278.tif 000014
【図１３】
2014234278.tif 000015
【図１４】
2014234278.tif 000016